(57)【要約】【課題】パソコン等のコンピュータ機器やＣＤプレーヤーのような音楽再生機器でも、ＤＶＤプレーヤーのような画像再生機器でも、データを再生できるようにデータを記録することができる入力データ記録装置及び入力データ記録方法の提供。【解決手段】入力データ記録装置に、画像データ、動画データ、楽曲音声データなどを入力するデータ入力手段７と、画像データをスライド表示するためのデータ編集手段８と、入力されたデータを画像再生機器で再生可能なＶｉｄｅｏ−ＣＤ形式等のデータや音楽再生機器で再生可能なＡｕｄｉｏ−ＣＤ形式等のデータに変換するデータ変換手段９と、これらのデータをコンピュータ機器又は音楽再生機器と画像再生機器等とで再生できるように機器のデータシーク順を考慮してＣＤ−ＲやＤＶＤ−Ｒなどの記録媒体に記録するデータ転送手段１０及びデータ記録手段１１とを備える。【選択図】図３
2006024239.tif 000002
【特許請求の範囲】
【請求項１】
特定種類のデータファイルと他の種類のデータファイルとを入力する入力手段と、
該入力手段により入力された前記特定種類のデータファイルと前記他の種類のデータファイルとを１つのディスク型記録媒体に記録するデータ記録手段とを有する入力データ記録装置において、
前記データ記録手段は、前記特定種類のデータファイルを再生する機器のデータシーク順を参照して、該機器による読み取り可能な領域に、前記特定種類のデータファイルのデータを記録することを特徴とする入力データ記録装置。
【請求項２】
特定種類のデータファイルと他の種類のデータファイルとを入力する入力手段と、
該入力手段により入力された前記特定種類のデータファイルと前記他の種類のデータファイルとを１つのディスク型記録媒体に記録するデータ記録手段とを有する入力データ記録装置において、
前記データ記録手段は、前記ディスク型記録媒体における前記他の種類のデータファイルが記録される領域より内側の領域に、前記特定種類のデータファイルのデータを記録することを特徴とする入力データ記録装置。
【請求項３】
データファイルを入力する入力手段と、
複数種類のデータファイルを１つのディスク型記録媒体に記録するデータ記録手段とを有する入力データ記録装置において、
前記データ記録手段は、前記複数種類のデータファイルの内の特定種類のデータファイルを再生する機器のデータシーク順を参照して、該機器による読み取り可能な領域に、前記特定種類のデータファイルのデータを記録することを特徴とする入力データ記録装置。
【請求項４】
データファイルを入力する入力手段と、
複数種類のデータファイルを１つのディスク型記録媒体に記録するデータ記録手段とを有する入力データ記録装置において、
前記複数種類のデータファイルは、特定種類のデータファイルと他の種類のデータファイルとを含み、
前記データ記録手段は、前記ディスク型記録媒体における前記他の種類のデータファイルが記録される領域より内側の領域に、前記特定種類のデータファイルのデータを記録することを特徴とする入力データ記録装置。
【請求項５】
前記入力データ記録装置に、入力されたデータファイルを前記特定種類のデータファイルに変換するデータ変換手段を備えることを特徴とする請求項３又は４に記載の入力データ記録装置。
【請求項６】
前記特定種類のデータファイルは、Ｖｉｄｅｏ−ＣＤ形式、ＤＶＤ−Ｖｉｄｅｏ形式又はＨＤＴＶ形式のいずれかのデータファイルを含み、前記他の種類のデータファイルは、コンピュータで読み取り可能な形式のデータファイル又は音楽／音声に関するデータファイルを含むことを特徴とする請求項１乃至５のいずれか一に記載の入力データ記録装置。
【請求項７】
前記入力手段によるデータファイルの入力、又は、前記入力手段によるデータファイルの入力及び前記データ変換手段によるデータファイルの変換と、前記データ記録手段による前記ディスク型記録媒体へのデータファイルの記録と、を含む処理を一回の操作で実行させるための指示信号を送出する手段を備えることを特徴とする請求項１乃至６のいずれか一に記載の入力データ記録装置。
【請求項８】
特定種類のデータファイルと他の種類のデータファイルとを入力し、入力された前記特定種類のデータファイルと前記他の種類のデータファイルとを１つのディスク型記録媒体に記録する入力データの記録方法であって、
前記ディスク型記録媒体に、そのデータファイルを再生する機器により読み取り可能な領域が制限される前記特定種類のデータファイルを記録した後、前記他の種類のデータファイルを記録することを特徴とする入力データ記録方法。
【請求項９】
特定種類のデータファイルと他の種類のデータファイルとを入力し、入力された前記特定種類のデータファイルと前記他の種類のデータファイルとを１つのディスク型記録媒体に記録する入力データの記録方法であって、
前記ディスク型記録媒体における前記他の種類のデータファイルが記録される領域より内側の領域に、前記特定種類のデータファイルのデータを記録することを特徴とする入力データ記録方法。
【請求項１０】
データファイルを入力し、複数種類のデータファイルを１つのディスク型記録媒体に記録する入力データの記録方法であって、
前記ディスク型記録媒体に、前記複数種類のデータファイルの内、そのデータファイルを再生する機器により読み取り可能な領域が制限される特定種類のデータファイルを記録した後、他の種類のデータファイルを記録することを特徴とする入力データ記録方法。
【請求項１１】
データファイルを入力し、複数種類のデータファイルを１つのディスク型記録媒体に記録する入力データの記録方法であって、
前記複数種類のデータファイルは、特定種類のデータファイルと他の種類のデータファイルとを含み、
前記ディスク型記録媒体における前記他の種類のデータファイルが記録される領域より内側の領域に、前記特定種類のデータファイルのデータを記録することを特徴とする入力データ記録方法。
【請求項１２】
前記特定種類のデータファイルは、Ｖｉｄｅｏ−ＣＤ形式、ＤＶＤ−Ｖｉｄｅｏ形式又はＨＤＴＶ形式のいずれかのデータファイルを含み、前記他の種類のデータファイルは、コンピュータで読み取り可能な形式のデータファイル又は音楽／音声に関するデータファイルを含むことを特徴とする請求項１０又は１１に記載の入力データ記録方法。
【発明の詳細な説明】
【技術分野】
【０００１】
本発明は、パソコン等のコンピュータ機器やＤＶＤプレーヤー、ＤＶＤレコーダー、ゲーム機等の画像再生機器、ＣＤプレーヤー、ＭＰ３プレーヤー等の音楽再生機器で使用されるディスク型記録媒体にデータを記録する入力データ記録装置及び入力データ記録方法に関する。
【背景技術】
【０００２】
近年、写真画像に関する様々なサービスが提供されている。例えば、フィルムカメラで撮影した写真画像の場合は、ラボ等のフォトサービス店舗やコンビニエンスストア等の注文店舗にユーザが撮影したネガフィルムを持ち込むと、フォトサービス店舗では、ネガフィルムを現像した後、スキャナ等で画像データを読み取り、読み取った画像データをＣＤ−Ｒ、ＤＶＤ−Ｒ等の記録媒体に書き込んでユーザに提供するサービスが行われている。また、デジタルカメラで撮影した写真画像の場合も、デジタルカメラやデジタルカメラ用の記録媒体に記録された画像データをＣＤ−Ｒ、ＤＶＤ−Ｒ等の記録媒体にバックアップするサービスが行われている（例えば、特開平５−１８２３７３号公報等）。
【０００３】
このようなサービスを利用することにより、ユーザはパソコン等のコンピュータ機器で写真画像を再生することができ、更に、スライドショーソフトを用いて写真画像をスライドショーとして効果的に表示したり、電子アルバムソフトを用いて、画像データをアルバムとして整理したり、画像編集ソフトを用いて画像データをユーザの好みに応じて加工する等の様々な処理を行うことができる。
【０００４】
【特許文献１】特開平５−１８２３７３号公報（第４−６頁、第３図）
【発明の開示】
【発明が解決しようとする課題】
【０００５】
しかしながら、上述したサービスは、画像データをパソコンで再生することを前提としているため、ユーザはパソコンの操作にある程度習熟している必要がある。そのため、パソコン操作に不慣れなユーザの場合は、画像データが記録された記録媒体を受け取っても簡単に写真画像を閲覧することはできず、サービスの利用促進の妨げとなっている。
【０００６】
一方、近年、ＤＶＤプレーヤーやＤＶＤレコーダー、ゲーム機のようなディスク型記録媒体を用いる画像再生機器が販売されており、この画像再生機器は一般の家電製品と同様に簡単な操作で画像や音声を再生することができ、かつ、画像を高精細に再生することができることから広く普及している。しかしながら、このような画像再生機器は、該機器専用の形式でデータが記録されたＣＤ−ＲやＤＶＤ−Ｒを再生するものであり、静止画を記録する一般的なフォーマットであるＪＰＥＧ形式の画像データなどを再生することはできない。従って、ＣＤ−Ｒ書き込みサービスで提供される記録媒体を上記画像再生機器で利用することができないという問題がある。
【０００７】
また、上述したサービスを利用して記録媒体に楽曲音声データを記録する場合やレンタルショップなどで記録媒体に楽曲音声データを記録する場合、該楽曲音声データをＡｕｄｉｏ−ＣＤ形式やＤＶＤ−Ａｕｄｉｏ形式、ＭＰ３形式などで記録すれば、該記録媒体をＣＤプレーヤーやＭＰ３プレーヤーなどの音楽再生機器で再生することができるが、画像再生機器はこのような形式のデータに対応していないものもあり、画像データの場合と同様にこれらのサービスで得られる記録媒体を上記画像再生機器で利用することができないという問題もある。
【０００８】
本発明は、上記問題点に鑑みてなされたものであって、その主たる目的は、パソコン等のコンピュータ機器、ＣＤプレーヤーやＭＰ３プレーヤーなどの音楽再生機器でも、ＤＶＤプレーヤーやＤＶＤレコーダー、ゲーム機のような画像再生機器でも、画像や音楽を再生できるようにデータを記録することができる入力データ記録装置及び入力データ記録方法を提供することにある。
【課題を解決するための手段】
【０００９】
上記目的を達成するため、本発明の入力データ記録装置は、特定種類のデータファイルと他の種類のデータファイルとを入力する入力手段と、該入力手段により入力された前記特定種類のデータファイルと前記他の種類のデータファイルとを１つのディスク型記録媒体に記録するデータ記録手段とを有する入力データ記録装置において、前記データ記録手段は、前記特定種類のデータファイルを再生する機器のデータシーク順を参照して、該機器による読み取り可能な領域に、前記特定種類のデータファイルのデータを記録するものである。
【００１０】
また、本発明の入力データ記録装置は、特定種類のデータファイルと他の種類のデータファイルとを入力する入力手段と、該入力手段により入力された前記特定種類のデータファイルと前記他の種類のデータファイルとを１つのディスク型記録媒体に記録するデータ記録手段とを有する入力データ記録装置において、前記データ記録手段は、前記ディスク型記録媒体における前記他の種類のデータファイルが記録される領域より内側の領域に、前記特定種類のデータファイルのデータを記録するものである。
【００１１】
また、本発明の入力データ記録装置は、データファイルを入力する入力手段と、複数種類のデータファイルを１つのディスク型記録媒体に記録するデータ記録手段とを有する入力データ記録装置において、前記データ記録手段は、前記複数種類のデータファイルの内の特定種類のデータファイルを再生する機器のデータシーク順を参照して、該機器による読み取り可能な領域に、前記特定種類のデータファイルのデータを記録するものである。
【００１２】
また、本発明の入力データ記録装置は、データファイルを入力する入力手段と、複数種類のデータファイルを１つのディスク型記録媒体に記録するデータ記録手段とを有する入力データ記録装置において、前記複数種類のデータファイルは、特定種類のデータファイルと他の種類のデータファイルとを含み、前記データ記録手段は、前記ディスク型記録媒体における前記他の種類のデータファイルが記録される領域より内側の領域に、前記特定種類のデータファイルのデータを記録するものである。
【００１３】
本発明においては、前記入力データ記録装置に、入力されたデータファイルを前記特定種類のデータファイルに変換するデータ変換手段を備える構成とすることができる。
【００１４】
また、本発明においては、前記特定種類のデータファイルは、Ｖｉｄｅｏ−ＣＤ形式、ＤＶＤ−Ｖｉｄｅｏ形式又はＨＤＴＶ形式のいずれかのデータファイルを含み、前記他の種類のデータファイルは、コンピュータで読み取り可能な形式のデータファイル又は音楽／音声に関するデータファイル（例えば、Ａｕｄｉｏ−ＣＤ形式、ＤＶＤ−Ａｕｄｉｏ形式、ＭＰ３形式、ＷＡＶ形式、ＷＭＡ形式、アトラック形式などのデータファイル）を含むことが好ましい。
【００１５】
また、本発明においては、前記入力手段によるデータファイルの入力、又は、前記入力手段によるデータファイルの入力及び前記データ変換手段によるデータファイルの変換と、前記データ記録手段による前記ディスク型記録媒体へのデータファイルの記録と、を含む処理を一回の操作で実行させるための指示信号を送出する手段を備える構成とすることができる。
【００１６】
また、本発明の入力データ記録方法は、特定種類のデータファイルと他の種類のデータファイルとを入力し、入力された前記特定種類のデータファイルと前記他の種類のデータファイルとを１つのディスク型記録媒体に記録する入力データの記録方法であって、前記ディスク型記録媒体に、そのデータファイルを再生する機器により読み取り可能な領域が制限される前記特定種類のデータファイルを記録した後、前記他の種類のデータファイルを記録するものである。
【００１７】
また、本発明の入力データ記録方法は、特定種類のデータファイルと他の種類のデータファイルとを入力し、入力された前記特定種類のデータファイルと前記他の種類のデータファイルとを１つのディスク型記録媒体に記録する入力データの記録方法であって、前記ディスク型記録媒体における前記他の種類のデータファイルが記録される領域より内側の領域に、前記特定種類のデータファイルのデータを記録するものである。
【００１８】
また、本発明の入力データ記録方法は、データファイルを入力し、複数種類のデータファイルを１つのディスク型記録媒体に記録する入力データの記録方法であって、前記ディスク型記録媒体に、前記複数種類のデータファイルの内、そのデータファイルを再生する機器により読み取り可能な領域が制限される特定種類のデータファイルを記録した後、他の種類のデータファイルを記録するものである。
【００１９】
また、本発明の入力データ記録方法は、データファイルを入力し、複数種類のデータファイルを１つのディスク型記録媒体に記録する入力データの記録方法であって、前記複数種類のデータファイルは、特定種類のデータファイルと他の種類のデータファイルとを含み、前記ディスク型記録媒体における前記他の種類のデータファイルが記録される領域より内側の領域に、前記特定種類のデータファイルのデータを記録するものである。
【００２０】
このように、本発明の構成によれば、ＣＤ−Ｒ／ＲＷやＤＶＤ±Ｒ／ＲＷ、ＤＶＤ−ＲＡＭ、Ｂｌｕ−ｒａｙディスクのようなディスク型記録媒体には、パソコン等のコンピュータ機器で再生可能な形式の静止画像データや動画データ、楽曲音声データ等のデータファイル（他の種類のデータファイル）と、ＤＶＤプレーヤーやＤＶＤレコーダー、ゲーム機等の画像再生機器で再生可能な形式のデータファイル（特定種類のデータファイル）と、必要に応じてアプリケーションやコンテンツなどが、各々の機器で再生できるように所定の領域に記録されるため、パソコンの操作に不慣れなユーザは、画像再生機器を用いて画像データを簡単に再生することができ、また、パソコンの操作に習熟したユーザは、各種アプリケーションを用いて画像データを表示、編集、加工等を行うことができ、様々なユーザが利用することができる記録媒体を提供することができる。
【００２１】
また、本発明の別の構成によれば、上記ディスク型記録媒体には、ＣＤプレーヤーやＭＰ３プレーヤーなどの音楽再生機器で再生可能な形式のデータファイル（他の種類のデータファイル）と、ＤＶＤプレーヤーやＤＶＤレコーダー、ゲーム機等の画像再生機器で再生可能な形式のデータファイル（特定種類のデータファイル）と、必要に応じてアプリケーションやコンテンツなどが、各々の機器で再生できるように所定の領域に記録されるため、映像付きで音楽を楽しみたいユーザは、画像再生機器を用いて動画データを簡単に再生することができ、また、音楽のみを楽しみたいユーザは、音楽再生機器を用いて楽曲音声データを簡単に再生することができ、様々なユーザが利用することができる記録媒体を提供することができる。
【００２２】
また、入力データ記録装置に、データファイル群との入力、又は、データファイルの入力及びデータファイルの変換と記録媒体への記録とを含む処理を一回の操作で実行させるための指示信号を送出する手段を設けることにより、簡単に所望のデータファイルが記録された記録媒体を作成することができる。
【発明の効果】
【００２３】
以上説明したように、本発明の入力データ記録装置及び入力データ記録方法によれば、ＤＶＤプレーヤーやＤＶＤレコーダー、ゲーム機等の画像再生機器でもパソコン等のコンピュータ機器又はＣＤプレーヤーやＭＰ３プレーヤーなどの音楽再生機器でも再生できるようにディスク型記録媒体にデータを記録することができる。
【００２４】
その理由は、コンピュータ機器用ファイル群と画像再生機器用ファイル群等の２種類のファイル群を、画像再生機器のデータシーク順を考慮して、画像再生機器用ファイル群を出力用記録媒体の内側に、コンピュータ機器用ファイル群をその外側に記録するように制御されるため、双方の機器で画像データを再生することができるからである。これにより、写真フィルムを読み取った画像データやデジタルカメラで撮影した画像データを様々な形態で利用することができるようになり、写真画像に関連するサービスの利用促進を図ることができる。
【００２５】
また、音楽再生機器用ファイル群と画像再生機器用ファイル群等の２種類のファイル群を、画像再生機器のデータシーク順を考慮して、画像再生機器用ファイル群を出力用記録媒体の内側に、音楽再生機器用ファイル群をその外側に記録するように制御されるため、双方の機器で楽曲音声データに基づく音楽を再生することができるからである。これにより、インターネットからダウンロードした楽曲音声データや音楽ＣＤに記録された楽曲音声データなどを様々な形態で利用することができるようになり、音楽に関連するサービスの利用促進を図ることができる。
【００２６】
また、入力データ記録装置に、データ入力手段又はデータ変換手段による画像再生機器用ファイル群とコンピュータ機器用ファイル群又は音楽再生機器用ファイル群との入力や変換から、データ記録手段による出力用記録媒体への記録までの一連の処理を一回の操作で実行させるための指示信号を送出する手段（画面上に表示されるボタン又は物理的な専用ボタンなど）を設けることにより、簡単に所望のデータファイルが記録された出力用記録媒体を作成することができる。
【発明を実施するための最良の形態】
【００２７】
従来技術で示したように、フィルムカメラやデジタルカメラで撮影した画像データをＣＤ−Ｒ、ＤＶＤ−Ｒ等の記録媒体に記録するサービスが行われており、このサービスを利用することにより、ユーザはパソコン上で画像データをスライド表示したり、電子アルバムとして整理したり、好みに応じて加工する等の様々な処理をすることができ、パソコン操作に習熟したユーザにとっては利用価値の高いサービスとなっている。
【００２８】
一方、ＤＶＤプレーヤーやＤＶＤレコーダー、ゲーム機は、パソコンのように複雑な操作を必要とせず、簡単に画像データを再生することができ、かつテレビモニタで高精細な画像を観賞することができるという特徴があるが、ＤＶＤプレーヤーやＤＶＤレコーダー、ゲーム機で再生できるデータは特別の形式で記録されたデータのみであるため、上記ＣＤ−Ｒ書き込みサービスで提供された記録媒体に記録された写真画像を表示することはできない。
【００２９】
このように、画像データを利用するユーザは、パソコンを用いアプリケーションを利用して画像データを再生するユーザや、ＤＶＤプレーヤーやＤＶＤレコーダー、ゲーム機を用い簡単な操作で画像データを再生するユーザなど様々であり、上記ＣＤ−Ｒ書き込みサービスを普及させるためには、多様なユーザの要求に応えて幅広く写真画像を利用できるようにする必要がある。
【００３０】
また、上述した問題は画像再生機器とＣＤプレーヤーやＭＰ３プレーヤーなどの音楽再生機器との間にも同様に生じ、楽曲音声の一般的なフォーマットであるＡｕｄｉｏ−ＣＤ形式やＤＶＤ−Ａｕｄｉｏ形式、ＭＰ３形式、ＷＡＶ形式、ＷＭＡ形式、アトラック形式などの楽曲音声データは音楽再生機器では再生できるが、画像再生機器では再生することはできないため、音楽に関連したサービスを普及させるためには、多様なユーザの要求に応えて幅広く音楽を利用できるようにする必要がある。
【００３１】
そこで、本発明では、入力データ記録装置に、デジタルカメラやカメラ付き携帯電話機等の写真撮影機器で撮影した画像データや、記録媒体に記録された画像データ、写真フィルムをスキャンして得た画像データ、動画データ、楽曲音声データなどの様々なデータを入力するデータ入力手段と、必要に応じて、入力された画像データをスライドショーとして表示するための編集を可能とするデータ編集手段と、データ編集手段で編集したスライドショーの動画データや入力された動画データをＤＶＤプレーヤーやＤＶＤレコーダー、ゲーム機等の画像再生機器で再生可能なＶｉｄｅｏ−ＣＤ形式、ＤＶＤ−Ｖｉｄｅｏ形式、ＨＤＴＶ形式等のデータに変換したり、入力された楽曲音声データをＣＤプレーヤーやＭＰ３プレーヤーなどの音楽再生機器で再生可能なＡｕｄｉｏ−ＣＤ形式、ＤＶＤ−Ａｕｄｉｏ形式、ＭＰ３形式、ＷＡＶ形式、ＷＭＡ形式、アトラック形式等のデータに変換するデータ変換手段と、これらのデータやアプリケーション、コンテンツなどを、コンピュータ機器又は音楽再生機器と画像再生機器等の異なる機器で再生できるように機器のデータシーク順を考慮してＣＤ−Ｒ／ＲＷやＤＶＤ±Ｒ／ＲＷ、ＤＶＤ−ＲＡＭ、Ｂｌｕ−ｒａｙディスクなどの記録媒体に記録するデータ転送手段及びデータ記録手段とを設けることにより、コンピュータ機器又は音楽再生機器、及び画像再生機器のいずれを用いても画像データに基づく画像又は楽曲音声データに基づく音楽の再生が可能となり、様々なユーザの要求に応えることができる。また、入力データ記録装置に、データの入力からデータの記録に至る一連の処理を一回の操作で実行させるための指示信号を送出する手段（メインメニュー画面などに表示されるボタンや物理的な専用ボタンなど）を設けることにより、簡単に所望のデータファイルが記録された出力用記録媒体を作成することができる。以下、本発明の実施の形態について図面を参照して詳細に説明するが、第１の実施例では、パソコンと画像再生機器の双方で再生可能な記録媒体を作成する方法について、第２の実施例では、音楽再生機器と画像再生機器の双方で再生可能な記録媒体を作成する方法について記載する。
【実施例１】
【００３２】
まず、本発明の第１の実施例に係る入力データ記録装置及び入力データ記録方法ついて、図１乃至図１２を参照して説明する。図１及び図２は、本発明の第１の実施例に係る入力データ記録装置の構成を模式的に示す図であり、図３は、入力データ記録装置の機能を示すブロック図である。また、図４及び図５は、本実施例の入力データ記録方法の手順を示すフローチャート図であり、図６は、記録媒体のフォルダ構成を示す図、図７は、記録媒体におけるデータの記録領域を示す図である。また、図８乃至図１２は、本実施例に係る入力データ記録装置の他の構成を模式的に示す図である。
【００３３】
なお、以下の説明で使用する「画像データ」とは静止画像データや動画データ、画像情報を含むデータの総称である。また、「静止画像データ」とは、１枚の独立した画像データであり、ファイル形式によって、全ての画素のデータがそのまま書かれているものや、冗長度を省いて圧縮したデータとして書かれているものもある。例えば、パソコン等のコンピュータ機器で表示可能な形式としてはＪＰＥＧ方式で圧縮されたものが一般的であり、ＤＶＤプレーヤーやＤＶＤレコーダー、ゲーム機等の画像再生機器で再生可能な形式としてＶｉｄｅｏ−ＣＤ形式やＤＶＤ−Ｖｉｄｅｏ形式、ＨＤＴＶ形式などがあるが、他の方式で圧縮されたファイルや圧縮されていないファイルであってもよい。
【００３４】
また、「動画データ」とは、ある一定時間間隔で画像を切り変えて表示するためのデータであり、例えば、ＭＰＥＧなどのファイルでは、基準となる画像のデータは独立したデータとして書かれており、それだけで画像の再現が可能であるが、それ以降は、基準画像との差分だけが記録されるため、基準の画像と比較して初めて画像が再現される。
【００３５】
まず、本発明の第１の実施例に係る入力データ記録装置の構成について、図１を参照して説明する。本実施例の入力データ記録装置１は、スマートメディア、コンパクトフラッシュ（登録商標）、メモリースティック（登録商標）、ＳＤメモリーカード、マルチメディアカードなどの画像データが記録された記録媒体（以下、入力用メディア１３と呼ぶ。）を装填する入力用メディア装填部２ａ、写真フィルムをスキャンして得られた画像データなどが記録された入力用記録媒体１４を装填する入力用記録媒体装填部２ｂ、デジタルカメラ１５やカメラ付き携帯電話機１６等の撮影機器（以下、カメラ機能を備えたデジタル機器を撮影機器と呼ぶ。）から有線又は無線、赤外線等によって画像データを読み取るための機器接続部３、必要に応じて、通信ネットワーク１９を介して他のコンピュータ機器やサーバ１８と接続するためのネットワーク接続部等のデータ入力手段と、これらの記録媒体や撮影機器から読み取った画像データを記録するＣＤ−Ｒ／ＲＷやＤＶＤ±Ｒ／ＲＷ、ＤＶＤ−ＲＡＭ、Ｂｌｕ−ｒａｙディスク等の出力用記録媒体１７を装填する出力用記録媒体装填部４と、スライドショーの設定等の操作を行う操作部６及び表示部５とを備えている。また、入力データ記録装置の任意の位置に、データの入力からデータの記録に至る一連の処理を一回の操作で実行させるための指示信号を送出する一発作成ボタン２３（ここでは物理的な専用ボタンとしているが表示部５の画面上に一発作成アイコン２３ａなどを表示してもよい。）が設けられている。
【００３６】
また、入力データ記録装置１の機能をブロック図で示すと図３のようになる。すなわち、入力用メディア装填部２ａ、入力用記録媒体装填部２ｂ、機器接続部３、ネットワーク接続部等を用いてコンピュータ機器２０で再生可能な静止画像データや動画データ、楽曲音声データ等を入力するデータ入力手段７と、表示部５や操作部６を用いて、入力した静止画像データや動画データ、楽曲音声データを用いてスライドショーとして表示するための編集等を行うデータ編集手段８と、編集したスライドショーのデータをＤＶＤプレーヤーやＤＶＤレコーダー、ゲーム機等の画像再生機器２１で再生可能なＶｉｄｅｏ−ＣＤ、ＤＶＤ−Ｖｉｄｅｏ、ＨＤＴＶ等の形式のデータに変換するデータ変換手段９と、入力したデータや変換したデータ、アプリケーション、コンテンツ等のデータを、コンピュータ機器２０及び画像再生機器２１の双方で再生できるように記録順序を制御するデータ転送手段１０と、データ転送手段１０によって転送されたデータを出力用記録媒体１７に書き込むデータ記録手段１１と、入力されたデータを用いてスライドショーを再生するためのスライドショープログラム等のアプリケーションプログラムや入力されたデータに関連するコンテンツ等を記憶する記憶手段１２とを備えている。
【００３７】
なお、ここでは、説明を容易にするためにデータ転送手段１０とデータ記録手段１１とを便宜上別々な手段としているが、これらは一つの手段として構成されていてもよい。また、本実施例では、入力データ記録装置１をデータの入力、編集、変換、記録までを一貫して行う装置として記載するが、本発明の入力データ記録装置１は、入力されたデータをコンピュータ機器２０及び画像再生機器２１の双方で再生できるように記録する機能を備えていればよく、上記手段の中でデータ入力手段７とデータ転送手段１０とデータ記録手段１１とを少なくとも備えていればよい。
【００３８】
また、図１では卓上型の入力データ記録装置１を記載しているが、入力データ記録装置１の形態は任意であり、例えば、図２に示すようにコンビニエンスストア等に設置可能なキオスク型の装置としてもよいし、図８に示すように上記手段を備えたパソコンとしたり、図９に示すように専用のセットトップボックスとしたり、図１０に示すようにポータブルライターなどとしてもよく、また、図１１に示すように記憶手段や演算手段を備えたＤＶＤレコーダーやＨＤＤレコーダーとしたり、図１２に示すようにカーナビゲーション装置などとしてもよい。また、本実施例では入力データ記録装置１を単体で動作する装置として記載しているが、例えば、ネガフィルムを現像する装置や現像済みの写真フィルムをスキャンして画像情報を読み取る装置等と合体した装置としてもよい。
【００３９】
上記構成の入力データ記録装置１を用いて、データを入力してから出力用記録媒体１７にデータが記録されるまでの手順について、図４のフローチャート図を参照して説明する。
【００４０】
まず、ステップＳ１０１において、入力データ記録装置１の入力メディア装填部２ａや入力用記録媒体装填部２ｂにデータが書き込まれた入力用メディア１３やＣＤ−Ｒ／ＲＷやＤＶＤ±Ｒ／ＲＷ、ＤＶＤ−ＲＡＭ、Ｂｌｕ−ｒａｙディスク等の入力記録媒体１４を装填したり、機器接続部３にデジタルカメラ１５やカメラ付き携帯電話機１６等の撮影機器を接続したり、ネットワーク接続部を用いて通信ネットワーク１９を介して他のコンピュータ機器やサーバ１８に接続する等の各種方法により、データ入力手段７を用いて所望のデータを入力する。
【００４１】
ここで、入力するデータは、静止画像データに限らず、動画データやこれらのデータをスライドショーとして表示する際に再生される楽曲音声データ等を含んでいてもよい。また、本実施例の入力データ記録装置１では、コンピュータ機器２０用の形式のデータを画像再生機器２１用の形式のデータに変換する機能を備えているため、データ入力手段７からはコンピュータ機器２０用の形式のデータのみが入力される構成としてもよいが、画像再生機器２１用の形式のデータも同時に入力される構成としてもよい。なお、コンピュータ機器２０用の静止画像データとしては、ＪＰＥＧ、ＢＭＰ、ＪＩＦ、ＴＩＦＦ、Ｅｘｉｆ、ＲＡＷ、静止画像データに楽曲音声データが関連付けされたアフターレコーディング付きデータ（例えば、ＪＰＥＧ＋ＷＡＶなど、以下、アフレコ付きデータと略す。）等、動画データとしては、ＡＶＩ、ＭＯＶ、ＭＰＥＧ１、２、４、７、ＷＭＶ等、コンピュータ機器２０で読み取り可能な任意の形式のデータを用いることができる。
【００４２】
次に、ステップＳ１０２で、入力されたデータの中に画像再生機器２１用の形式のデータが含まれているか否かを判断し、画像再生機器２１用の形式のデータが含まれている場合にはステップＳ１０５以降の処理を行う。
【００４３】
また、入力されたデータの中に画像再生機器２１用の形式のデータが含まれておらず、入力された画像データをスライドショーとして再生する場合には、ステップＳ１０３で、データ編集手段８を用いて所定のスライドショー設定画面を表示部５に表示し、操作部６を用いてスライド表示する画像データの選択、表示順の設定、楽曲音声データの選択、スライド効果の設定、スライドショーと共に再生する動画データの選択等を行う。そして、コンピュータ機器２０でスライドショーを再生するために、スライドショーの設定条件を記録した設定データを作成する。
【００４４】
次に、ステップＳ１０４で、データ変換手段９では、データ編集手段８で編集された設定条件に基づいて静止画像データから動画データを作成し、ＤＶＤプレーヤーやＤＶＤレコーダー、ゲーム機等の画像再生機器２１で読み取り可能な形式（Ｖｉｄｅｏ−ＣＤ形式やＤＶＤ−Ｖｉｄｅｏ形式、ＨＤＴＶ形式等）に変換する。この動画データの作成方法は限定されないが、例えば、静止画像データに予め定められたスライド効果に基づく差分データを付加して生成することができる。
【００４５】
次に、コンピュータ機器用のデータと画像再生機器用のデータの書き込みを行うが、コンピュータ機器２０では、データが出力用記録媒体１７のどの領域に書き込まれていても読み込むことができるが、ＤＶＤプレーヤーやＤＶＤレコーダー、ゲーム機等の画像再生機器２１の場合、データシーク順（すなわち、データを読み込む順序）が設定されており、データが記録される領域によっては画像再生機器２１で読み込むことができなくなってしまう。そこで、本実施例では、画像再生機器用のデータが所定の領域（一般的にはディスク型記録媒体の場合は内側）に記録されるように記録順を制御している。
【００４６】
具体的には、ステップＳ１０５で、データ転送手段１０は、データ変換手段９で作成された画像再生機器２１用の動画データ、静止画像データを再生するためのアプリケーション、関連付けデータ等（以下、これらを総称して画像再生機器用ファイル群と呼ぶ。）を、記憶手段１２に予め設けられた書き込み用の所定のフォルダに転送する。すると、ステップＳ１０６で、データ記録手段１０は、該フォルダから画像再生機器用ファイル群を読み出して、図７に示すように、出力用記録媒体装填部４に装填されたＣＤ−Ｒ／ＲＷやＤＶＤ±Ｒ／ＲＷ、ＤＶＤ−ＲＡＭ、Ｂｌｕ−ｒａｙディスク等の出力用記録媒体１７の内側（画像再生機器用ファイル群記録領域１７ａ）に記録する。なお、ここで、動画データの画像形式としてＭＰＥＧ１を用いＣＤ−Ｒに記録すればＶｉｄｅｏ−ＣＤ形式の出力用記録媒体１７を作成することができ、動画データの画像形式としてＭＰＥＧ２を用いＤＶＤ−Ｒに記録すればＤＶＤ−Ｖｉｄｅｏ形式の出力用記録媒体１７を作成することができ、どの形式のデータに変換し、どのような種類の出力用記録媒体１７に記録するかをユーザが選択できる構成としてもよい。
【００４７】
次に、ステップＳ１０７で、データ記録手段１０は、コンピュータ機器２０用のデータの記録を行う前に、画像再生機器２１で使用可能なデータの領域を区分するために一旦セッションをクローズする。
【００４８】
次に、ステップＳ１０８で、データ転送手段１０は、データ入力手段７で入力したコンピュータ機器２０用の静止画像データや動画データ、楽曲音声データ、静止画像データをスライド表示するためのアプリケーション、スライドショーの設定データ等（以下、これらを総称してコンピュータ機器用ファイル群と呼ぶ。）を、記憶手段１２に予め設けられた書き込み用の所定のフォルダに転送する。すると、ステップＳ１０９で、データ記録手段１０は、該フォルダからコンピュータ機器用ファイル群を読み出して、図７に示すように出力用記録媒体１７に先に記録された画像再生機器用ファイル群の外側（コンピュータ機器用ファイル群記録領域１７ｂ）に記録する。
【００４９】
上記手順でデータ及びプログラムが書き込まれた出力用記録媒体１７は、例えば、図６（ａ）に示すようになり、画像再生機器２１で再生するためのデータやアプリケーションなどが格納される画像再生機器用ファイル群格納部と、コンピュータ機器で再生するデータやアプリケーションなどが格納されるコンピュータ機器用ファイル群格納部とを含み構成される。
【００５０】
また、画像再生機器用ファイル群格納部には、例えば、ＴＶ画面に静止画像データを表示するためのアプリケーションを格納するフォルダ（ＤＡＴ）と、静止画像データを元に生成した動画データを格納するフォルダ（ＭＰＥＧＡＶ）と、ＴＶ画面に表示する画像データを格納するフォルダ（ＳＥＧＭＥＮＴ）と、画像データをＶｉｄｅｏ−ＣＤ形式やＤＶＤ−Ｖｉｄｅｏ形式、ＨＤＴＶ形式用データ等として関連付けるファイルを格納するフォルダ（ＶＣＤ）とが含まれている。
【００５１】
また、コンピュータ機器用ファイル格納部には、例えば、各種データを一括して管理するためのフォルダ（PS_Roll）と、スライドショープログラムなどのアプリケーションが格納されるアプリケーション格納部（ＡＰＰＬ）と、デザインなどの専用コンテンツが格納される専用コンテンツ格納部（ＣＯＮＴＥＮＴＳ）とが含まれ、PS_Rollフォルダの下位の階層には、メディア毎、機器毎、ロット毎のデータを格納するサブフォルダ（ＲＯフォルダ）が形成され、そのサブフォルダには静止画像データ（DSC00001.jpg等）と静止画像データを元に生成した動画データ（MOV00001.avi等）とスライドショー実行時に再生される楽曲音声データ（AudioA.mp3）等が格納される。
【００５２】
なお、図６（ａ）のフォルダ構成は例示であり、アプリケーションや専用コンテンツは必ずしも必要ではない。また、出力用記録媒体１７に記録されたデータをパソコンで認識し自動的に再生するための情報ファイルや実行ファイルを含めたり、ロット毎のデータを格納するフォルダに静止画像データに対応するサムネイルデータやスクリーンネイルデータを含めたり、画像再生機器用ファイル格納部の中にＴＶ用スライドショーのＢＧＭとして再生可能な楽曲音声データを含める構成とすることもできる。
【００５３】
また、画像データの管理を容易にするために、予め定められたルールに従ってフォルダを構成し、そのフォルダにユニークな名称を付与して記録してもよい。例えば、図６（ａ）に示すように、ＲＯフォルダの名称を”RO_AABC_XXXXX_YYMMDD_yyy_zzz”（AAは国別のコード番号（00〜ZZ）、Bは地域別のコード番号（0〜Z）、Cは記録媒体の作り方を示すコード番号（例えば、キオスクで作った場合はk、ラボで作った場合はLなど）、XXXXXはランダムなＩＤ番号、yymmddは書き込み年月日を特定する数字、yyyは日毎のシーケンシャル番号、zzzは所定の単位毎（例えば、フィルム毎やメディア毎、機器毎など）のシーケンシャル番号）などとしてもよいし、更に、図６（ｂ）に示すように、ＰＳフォルダの上位に移住してきた画像データの格納場所を示すフォルダ（PS_AABC_XXXXX_YYMMDD_zzz）などを作成してもよく、このような構成とすれば画像データの管理が更に容易になる。
【００５４】
上記入力データの記録手順は、データ転送手段１０が画像再生機器用ファイル群とコンピュータ機器用ファイル群の転送順序を制御する場合の手順であるが、これらのデータを同時に転送して、データ記録手段１１側で順番に書き込む順序を制御するようにしてもよい。その場合の手順について図５のフローチャート図を参照して説明する。
【００５５】
まず、前記した手順と同様に、ステップＳ２０１において、データ入力手段７を用いて、入力メディア装填部２ａや入力用記録媒体装填部２ｂ、機器接続部３、ネットワーク接続部から所望のデータを入力し、ステップＳ２０２で入力されたデータの中に画像再生機器２１用の形式のデータが含まれているか否かを判断し、含まれていない場合は、ステップＳ２０３で、データ編集手段８を用いて、スライド表示する画像データの選択、表示順の設定、楽曲音声データの選択、スライド効果の設定、スライドショーと共に再生する動画データの選択等を行う。次に、ステップＳ２０４で、静止画像データから動画データを作成し、画像再生機器２１で読み取り可能な形式（Ｖｉｄｅｏ−ＣＤ形式やＤＶＤ−Ｖｉｄｅｏ形式、ＨＤＴＶ形式等）に変換する。
【００５６】
次に、ステップＳ２０５で、データ転送手段１０は、データ変換手段９で変換された画像再生機器用のファイル群とデータ入力手段７で入力したコンピュータ機器用のファイル群とを、記憶手段１２に予め設けられた書き込み用の所定のフォルダに記憶する。すると、データ記録手段１０は、ステップＳ２０６で、該フォルダに記録されたデータの中から画像再生機器用ファイル群を抽出した後、ステップＳ２０７で、画像再生機器２１のデータシーク順を考慮して、画像再生機器用ファイル群を出力用記録媒体１７の内側に書き込む。
【００５７】
次に、ステップＳ２０８で、データ記録手段１０は、一旦セッションをクローズした後、ステップＳ２０９で、書き込み用のフォルダに格納されたコンピュータ機器用ファイル群を抽出し、ステップＳ２１０で、出力用記録媒体１７の画像再生機器用ファイル群が書き込まれた領域の外側にコンピュータ機器用ファイル群を書き込む。このような手順によってもコンピュータ機器２０及び画像再生機器２１の双方で再生可能な出力用記録媒体１７を作成することができる。
【００５８】
なお、データの入力、スライドショー編集、データ形式の変換などの各々の処理に際して、入力データ記録装置１の表示部５に処理の状態を表示し、操作部６を操作して順次処理を行う構成とすることもできるが、操作が煩雑になると入力データ記録装置１の利用が敬遠されてしまう恐れがある。そこで、入力データ記録装置１の操作部６や表示部５などの任意の位置に図１、２、８〜１２に示すような一発作成ボタン２３を設ける構成とすることもできる。この一発作成ボタン２３を押すと、入力用メディア装填部２ａに装填された入力用メディア１３や入力用記録媒体装填部２ｂに装填部２ｂに装填された入力用記録媒体１４、機器接続部３に接続されたデジタルカメラ１５などから自動的に画像データなどを読み取り、予め定められた条件でスライドショーの動画データを作成し、該動画データを予め定められたデータ形式に変換した後、出力用記録媒体１７の所定の領域に記録するように各々の手段を制御する指示信号が送出されるため、ステップＳ１０１やＳ２０１で入力用メディア１３などを装填した後、一発作成ボタン２３を押すのみで、簡単にコンピュータ機器２０及び画像再生機器２１の双方で再生可能な出力用記録媒体１７を作成することができる。
【００５９】
このように、本実施例の入力データ記録装置１では、機器のデータシーク順を考慮して、例えば、ＤＶＤプレーヤーやＤＶＤレコーダー、ゲーム機のようにディスク型記録媒体の内側からデータを読み込む機器の場合は、出力用記録媒体１７の内側に画像再生機器用ファイル群を書き込んだ後、その外側にコンピュータ機器用ファイル群を書き込むといった制御が行われるため、ユーザは、出力用記録媒体１７を用いて、画像再生機器２１及びコンピュータ機器２０の双方で静止画像データのスライドショーや動画を鑑賞することができ、写真画像を幅広く活用できるようにすることができる。
【実施例２】
【００６０】
次に、本発明の第２の実施例に係る入力データ記録装置及び入力データ記録方法ついて、図１３乃至図１７を参照して説明する。図１３は、本発明の第２の実施例に係る入力データ記録装置の構成を模式的に示す図であり、図１４は、本実施例の入力データ記録方法の手順を示すフローチャート図である。また、図１５乃至図１７は、記録媒体におけるデータの記録領域を示す図である。
【００６１】
本実施例に係る入力データ記録装置の構成について、図１３を参照して説明する。本実施例の入力データ記録装置１は、スマートメディア、コンパクトフラッシュ（登録商標）、メモリースティック（登録商標）、ＳＤメモリーカード、マルチメディアカードなどの画像データや楽曲音声データが記録された入力用メディア１３を装填する入力用メディア装填部２ａ、楽曲音声データが記録された入力用記録媒体１４を装填する入力用記録媒体装填部２ｂ、カメラ付き携帯電話機１６などの携帯機器から有線又は無線、赤外線等によって画像データや楽曲音声データを読み取るための機器接続部３、必要に応じて、通信ネットワーク１９を介して他のコンピュータ機器やサーバ１８と接続するためのネットワーク接続部等のデータ入力手段と、これらの記録媒体や携帯機器から読み取った画像データや楽曲音声データをそのまま又は変換して記録するＣＤ−Ｒ／ＲＷやＤＶＤ±Ｒ／ＲＷ、ＤＶＤ−ＲＡＭ、Ｂｌｕ−ｒａｙディスク等の出力用記録媒体１７を装填する出力用記録媒体装填部４と、必要に応じてスライドショーの設定等の操作を行う操作部６及び表示部５とを備えている。また、入力データ記録装置の任意の位置に、データの入力からデータの記録に至る一連の処理を一回の操作で実行させるための指示信号を送出する一発作成ボタン２３（ここでは物理的な専用ボタンとしているが表示部５の画面上に一発作成アイコン２３ａなどを表示してもよい。）が設けられている。
【００６２】
また、入力データ記録装置１は第１の実施例と同様の機能を備える。すなわち、入力用メディア装填部２ａ、入力用記録媒体装填部２ｂ、機器接続部３、ネットワーク接続部等を用いてＣＤプレーヤーやＭＰ３プレーヤーなどの音楽再生機器２２やＤＶＤプレーヤーやＤＶＤレコーダー、ゲーム機等の画像再生機器２１で再生するデータの基となる静止画像データや動画データ、楽曲音声データ等を入力するデータ入力手段７と、表示部５や操作部６を用いて、必要に応じて、入力した静止画像データや動画データ、楽曲音声データを用いてスライドショーとして表示するための編集等を行うデータ編集手段８と、編集したスライドショーの動画データや入力された動画データを画像再生機器２１で再生可能なＶｉｄｅｏ−ＣＤ形式、ＤＶＤ−Ｖｉｄｅｏ形式、ＨＤＴＶ形式等のデータに変換したり、入力された楽曲音声データを音楽再生機器２２で再生可能なＡｕｄｉｏ−ＣＤ形式やＤＶＤ−Ａｕｄｉｏ形式、ＭＰ３形式のデータに変換するデータ変換手段９と、入力したデータや変換したデータ、アプリケーション、コンテンツ等のデータを、音楽再生機器２２及び画像再生機器２１の双方で再生できるように記録順序を制御するデータ転送手段１０と、データ転送手段１０によって転送されたデータを出力用記録媒体１７に書き込むデータ記録手段１１と、アプリケーションプログラムや入力されたデータに関連するコンテンツ等を記憶する記憶手段１２とを備えている。
【００６３】
なお、本実施例においても入力データ記録装置１の形態は任意であり、例えば、レンタルショップやコンビニエンスストア等に設置可能なキオスク型の装置としてもよいし、上記手段を備えたパソコンとしたり、専用のセットトップボックスとしたり、ポータブルライターとしたり、記憶手段や演算手段を備えたＤＶＤレコーダーやＨＤＤレコーダー、カーナビゲーション装置などとしてもよい。
【００６４】
上記構成の入力データ記録装置１を用いて、データを入力してから出力用記録媒体１７にデータが記録されるまでの手順について、図１４のフローチャート図を参照して説明する。
【００６５】
まず、ステップＳ３０１において、入力データ記録装置１の入力メディア装填部２ａや入力用記録媒体装填部２ｂにデータが書き込まれた入力用メディア１３やＣＤ−Ｒ／ＲＷやＤＶＤ±Ｒ／ＲＷ、ＤＶＤ−ＲＡＭ、Ｂｌｕ−ｒａｙディスク等の入力記録媒体１４を装填したり、機器接続部３にデジタルカメラ１５やカメラ付き携帯電話機１６等の撮影機器を接続したり、ネットワーク接続部を用いて通信ネットワーク１９を介して他のコンピュータ機器やサーバ１８に接続する等の各種方法により、データ入力手段７を用いて所望のデータを入力する。
【００６６】
ここで、入力するデータは、音楽再生機器２２で再生される楽曲音声データ、又は画像再生機器２１で再生される動画データを作成する際に利用される楽曲音声データ（例えば、Ａｕｄｉｏ−ＣＤ形式、ＤＶＤ−Ａｕｄｉｏ形式、ＭＰ３形式、ＷＡＶ形式、ＷＭＡ形式、アトラック形式などのデータ）と、画像再生機器２１で再生される動画データを作成する際に利用される静止画像データや動画データ（例えば、静止画像データとしてはＪＰＥＧ、ＢＭＰ、ＪＩＦ、ＴＩＦＦ、Ｅｘｉｆ、ＲＡＷ、アフレコ付きデータ等、動画データとしてはＡＶＩ、ＭＯＶ、ＭＰＥＧ１、２、４、７、ＷＭＶなど）が含まれる。また、本実施例の入力データ記録装置１では、データの変換は必ずしも必要ではないため、データ入力手段７から画像再生機器２１用のデータ（例えば、Ｖｉｄｅｏ−ＣＤ形式、ＤＶＤ−Ｖｉｄｅｏ形式、ＨＤＴＶ形式など）が直接入力される構成としてもよい。
【００６７】
次に、入力されたデータの種類に応じて以下の処理を行う。なお、音楽再生機器２２（又は画像再生機器２１）の種別によって再生可能なデータの種類が異なり、音楽再生機器２２（又は画像再生機器２１）で再生できるデータと再生できないデータとを明確に分類することはできないため、以下では例示として分類する。
【００６８】
まず、第１の形態は、入力された画像データや楽曲音声データがそのままでは画像再生機器２１や音楽再生機器２２で再生できない（音楽再生機器２２全般で再生できない場合と特定の種類の音楽再生機器２２では再生できない場合の双方を含む。）形式のデータの場合（例えば、画像データがＪＰＥＧ、ＢＭＰ、ＪＩＦ、ＴＩＦＦ、Ｅｘｉｆ、ＲＡＷ、アフレコ付きデータ、ＡＶＩ、ＭＯＶ、ＭＰＥＧ１、２、４、７、ＷＭＶ等、楽曲音声データがＷＡＶ、ＷＭＡ、ＭＰ３、アトラック形式等の場合）である。この場合は、必要に応じて、ステップＳ３０２で、データ編集手段８を用いて所定のスライドショー設定画面を表示部５に表示し、操作部６を用いてスライド表示する画像データの選択、表示順の設定、楽曲音声データの選択（画像再生機器２１で再生される動画データの作成に利用する楽曲音声データと音楽再生機器２２用に記録する楽曲音声データとは同じであってもよいし異なってもよい。）、スライド効果の設定、スライドショーと共に再生する動画データの選択等を行う。次に、ステップＳ３０３で、データ変換手段９では、データ編集手段８で編集された設定条件に基づいて、例えば、静止画像データに予め定められたスライド効果に基づく差分データを付加する等の手法を用いて、静止画像データから動画データを作成して画像再生機器２１で読み取り可能な形式（Ｖｉｄｅｏ−ＣＤ形式やＤＶＤ−Ｖｉｄｅｏ形式、ＨＤＴＶ形式等）のデータに変換し、更に、入力された楽曲音声データを音楽再生機器２２で再生可能な形式（Ａｕｄｉｏ−ＣＤ形式やＤＶＤ−Ａｕｄｉｏ形式、ＭＰ３等）のデータに変換する。
【００６９】
また、第２の形態は、入力された楽曲音声データは音楽再生機器２２で再生できるが、画像データはそのままでは画像再生機器２１で再生できない形式のデータの場合（例えば、画像データがＪＰＥＧ、ＢＭＰ、ＪＩＦ、ＴＩＦＦ、Ｅｘｉｆ、ＲＡＷ、アフレコ付きデータ、ＡＶＩ、ＭＯＶ、ＭＰＥＧ１、２、４、７、ＷＭＶ等、楽曲音声データがＡｕｄｉｏ−ＣＤ形式やＤＶＤ−Ａｕｄｉｏ形式、ＭＰ３等の場合）である。この場合は、第１の形態と同様に、必要に応じて、ステップＳ３０４で、データ編集手段８を用いて所定のスライドショー設定画面を表示部５に表示し、操作部６を用いてスライド表示する画像データの選択、表示順の設定、楽曲音声データの選択、スライド効果の設定、スライドショーと共に再生する動画データの選択等を行う。次に、ステップＳ３０５で、データ変換手段９では、データ編集手段８で編集された設定条件に基づいて、静止画像データから動画データを作成して画像再生機器２１で読み取り可能な形式（Ｖｉｄｅｏ−ＣＤ形式やＤＶＤ−Ｖｉｄｅｏ形式、ＨＤＴＶ形式等）のデータに変換する。また、必要に応じて、入力された楽曲音声データがＭＰ３形式であり音楽再生機器２２がＣＤプレーヤーの場合や、入力された楽曲音声データがＡｕｄｉｏ−ＣＤ形式やＤＶＤ−Ａｕｄｉｏ形式であり音楽再生機器２２がＭＰ３プレーヤーの場合は、データ変換手段９を用いて、Ａｕｄｉｏ−ＣＤ形式やＤＶＤ−Ａｕｄｉｏ形式などとＭＰ３形式などとの変換を行う。
【００７０】
また、第３の形態は入力された画像データは画像再生機器２１で再生できるが、楽曲音声データはそのままでは音楽再生機器２２で再生できない形式のデータの場合（例えば、画像データがＶｉｄｅｏ−ＣＤ形式やＤＶＤ−Ｖｉｄｅｏ形式、ＨＤＴＶ形式等、楽曲音声データがＷＡＶ、ＷＭＡ、ＭＰ３、アトラック形式等の場合）である。この場合は、ステップＳ３０６で、データ変換手段９では、入力された楽曲音声データのみを音楽再生機器２２で再生可能な形式（Ａｕｄｉｏ−ＣＤ形式やＤＶＤ−Ａｕｄｉｏ形式、ＭＰ３等）のデータに変換する。
【００７１】
そして、入力された画像データ及び楽曲音声データが画像再生機器２１及び音楽再生機器２２で再生可能な形式のデータの場合（例えば、画像データがＶｉｄｅｏ−ＣＤ形式やＤＶＤ−Ｖｉｄｅｏ形式、ＨＤＴＶ形式等、楽曲音声データがＡｕｄｉｏ−ＣＤ形式やＤＶＤ−Ａｕｄｉｏ形式、ＭＰ３等の場合：第４の形態）や、ステップＳ３０３、Ｓ３０５及びＳ３０６で入力されたデータの形式に変換した後、音楽再生機器用のデータと画像再生機器用のデータの書き込みを行うが、第１の実施例で示したように、画像再生機器２１の場合はデータシーク順が設定されており、データが記録される領域によっては画像再生機器２１で読み込むことができなくなってしまうため、画像再生機器用のデータが所定の領域（一般的にはディスク型記録媒体の場合は内側）に記録されるように記録順を制御する。
【００７２】
具体的には、ステップＳ３０７で、データ転送手段１０は、データ入力手段７で入力した画像再生機器２０用の動画データ又は変換手段９で変換された画像再生機器２１用の動画データ、静止画像データを再生するためのアプリケーション、関連付けデータ等の画像再生機器用ファイル群を、記憶手段１２に予め設けられた書き込み用の所定のフォルダに転送する。すると、ステップＳ３０８で、データ記録手段１０は、該フォルダから画像再生機器用ファイル群を読み出して、図１５に示すように、出力用記録媒体装填部４に装填されたＣＤ−Ｒ／ＲＷやＤＶＤ±Ｒ／ＲＷ、ＤＶＤ−ＲＡＭ、Ｂｌｕ−ｒａｙディスク等の出力用記録媒体１７の内側（画像再生機器用ファイル群記録領域１７ａ）に記録する。
【００７３】
次に、ステップＳ３０９で、データ記録手段１０は、音楽再生機器２２用のデータの記録を行う前に、画像再生機器２１で使用可能なデータの領域を区分するために一旦セッションをクローズする。
【００７４】
次に、ステップＳ３１０で、データ転送手段１０は、データ入力手段７で入力した音楽再生機器２２用の楽曲音声データ又は変換手段９で変換された音楽再生機器２２用の楽曲音声データ、楽曲音声データを再生するためのアプリケーション等の音楽再生機器用ファイル群を、記憶手段１２に予め設けられた書き込み用の所定のフォルダに転送する。すると、ステップＳ３１１で、データ記録手段１０は、該フォルダから音楽再生機器用ファイル群を読み出して、図１５に示すように出力用記録媒体１７に先に記録された画像再生機器用ファイル群の外側（音楽再生機器用ファイル群記録領域１７ｃ）に記録する。
【００７５】
なお、本実施例においても、入力データ記録装置１の操作部６や表示部５などの任意の位置に図１３に示すような一発作成ボタン２３を設ける構成とすることもできる。この一発作成ボタン２３を押すと、入力用メディア装填部２ａに装填された入力用メディア１３や入力用記録媒体装填部２ｂに装填された入力用記録媒体１４、機器接続部３に接続された携帯機器などから自動的に画像データや楽曲音声データなどを読み取り、予め定められた条件でスライドショーの動画データを作成し、該動画データを予め定められたデータ形式に変換した後、出力用記録媒体１７の所定の領域に記録するように各々の手段を制御する指示信号が送出されるため、ステップＳ３０１で入力用メディア１３などを装填した後、一発作成ボタン２３を押すのみで、簡単に音楽再生機器２２及び画像再生機器２１の双方で再生可能な出力用記録媒体１７を作成することができる。
【００７６】
このように、本実施例の入力データ記録装置１では、機器のデータシーク順を考慮して、例えば、ＤＶＤプレーヤーやＤＶＤレコーダー、ゲーム機のようにディスク型記録媒体の内側からデータを読み込む機器の場合は、出力用記録媒体１７の内側に画像再生機器用ファイル群を書き込んだ後、その外側に音楽再生機器用ファイル群を書き込むといった制御が行われるため、ユーザは、出力用記録媒体１７を用いて、画像再生機器２１及び音楽再生機器２２の双方で楽曲音声データの基づく音楽を再生することができる。
【００７７】
なお、上記実施例では、入力したデータをコンピュータ機器用又は音楽再生機器用と画像再生機器用の２種類のデータとして記録する構成としたが、いずれか一方の機器用のデータのみを記録することを希望するユーザを考慮して、双方の機器用のデータを記録するのか、いずれか一方の機器用のデータを記録するのかを選択できる構成としてもよい。また、本発明は異なる機器で再生可能な複数種類のデータを記録するものであればよく、上記以外の機器用のデータを記録する構成としてもよく、また、第１の実施例の構成と第２の実施例の構成とを組み合わせて、図１６に示すようにコンピュータ機器用と音楽再生機器用と画像再生機器用などの３種類又はそれ以上のデータを記録する構成としてもよいし、図１７に示すように音楽再生機器用のデータ（例えば、Ａｕｄｉｏ−ＣＤ形式やＤＶＤ−Ａｕｄｉｏ形式のデータ）を内側に記録し、コンピュータ機器用データ（例えば、音楽再生機器で再生できないＷＡＶなどの楽曲音声データ）を外側に記録する構成としてもよい。
【図面の簡単な説明】
【００７８】
【図１】本発明の第１の実施例に係る入力データ記録装置の構成を示す外観図である。
【図２】本発明の第１の実施例に係る入力データ記録装置の他の構成を示す外観図である。
【図３】本発明の第１の実施例に係る入力データ記録装置の機能を示すブロック図である。
【図４】本発明の第１の実施例に係る入力データ記録方法の手順を示すフローチャート図である。
【図５】本発明の第１の実施例に係る入力データ記録方法の他の手順を示すフローチャート図である。
【図６（ａ）】本発明の第１の実施例に係る入力データ記録装置で作成される出力用記録媒体のフォルダ構成を示す図である。
【図６（ｂ）】本発明の第１の実施例に係る入力データ記録装置で作成される出力用記録媒体のフォルダ構成を示す図である。
【図７】本発明の第１の実施例に係る入力データ記録装置で作成される出力用記録媒体のデータ記録領域を模式的に示す図である。
【図８】本発明の第１の実施例に係る入力データ記録装置の他の構成を示す外観図である。
【図９】本発明の第１の実施例に係る入力データ記録装置の他の構成を示す外観図である。
【図１０】本発明の第１の実施例に係る入力データ記録装置の他の構成を示す外観図である。
【図１１】本発明の第１の実施例に係る入力データ記録装置の他の構成を示す外観図である。
【図１２】本発明の第１の実施例に係る入力データ記録装置の他の構成を示す外観図である。
【図１３】本発明の第２の実施例に係る入力データ記録装置の構成を示す外観図である。
【図１４】本発明の第２の実施例に係る入力データ記録方法の手順を示すフローチャート図である。
【図１５】本発明の第２の実施例に係る入力データ記録装置で作成される出力用記録媒体のデータ記録領域を模式的に示す図である。
【図１６】本発明の第２の実施例に係る入力データ記録装置で作成される出力用記録媒体のデータ記録領域を模式的に示す図である。
【図１７】本発明の第２の実施例に係る入力データ記録装置で作成される出力用記録媒体のデータ記録領域を模式的に示す図である。
【符号の説明】
【００７９】
１  入力データ記録装置
２ａ  入力用メディア装填部
２ｂ  入力用記録媒体装填部
３  機器接続部
４  出力用記録媒体装填部
５  表示部
６  操作部
６ａ  キーボード
６ｂ  マウス
７  データ入力手段
８  データ編集手段
９  データ変換手段
１０  データ転送手段
１１  データ記録手段
１２  記憶手段
１３  入力用メディア
１４  入力用記録媒体
１５  デジタルカメラ
１６  カメラ付き携帯電話機
１７  出力用記録媒体
１７ａ  画像再生機器用ファイル群記録領域
１７ｂ  コンピュータ機器用ファイル群記録領域
１７ｃ  音楽再生機器用ファイル群記録領域
１８  サーバ
１９  通信ネットワーク
２０  コンピュータ機器
２１  画像再生機器
２２  音楽再生機器
２３  一発作成ボタン
２３ａ  一発作成アイコン
【図１】
2006024239.tif 000003
【図２】
2006024239.tif 000004
【図３】
2006024239.tif 000005
【図４】
2006024239.tif 000006
【図５】
2006024239.tif 000007
【図６（ａ）】
2006024239.tif 000008
【図６（ｂ）】
2006024239.tif 000009
【図７】
2006024239.tif 000010
【図８】
2006024239.tif 000011
【図９】
2006024239.tif 000012
【図１０】
2006024239.tif 000013
【図１１】
2006024239.tif 000014
【図１２】
2006024239.tif 000015
【図１３】
2006024239.tif 000016
【図１４】
2006024239.tif 000017
【図１５】
2006024239.tif 000018
【図１６】
2006024239.tif 000019
【図１７】
2006024239.tif 000020